(57)【要約】      （修正有）【課題】入出金口に投入された紙幣の中に同一記番号が付された複数の異常紙幣が含まれていた場合であっても、入出金口に投入された紙幣の搬送路への供給が一巡したか否かを区別することが可能な技術を提供する。【解決手段】複数の紙幣が投入される入出金口と、入出金口に存在する複数の紙幣の一方から順次に紙幣を分離して搬送路へ供給する供給部と、搬送路から供給された紙幣を鑑別する鑑別部２４と、鑑別部２４により鑑別された紙幣が異常紙幣であると判定された場合、異常紙幣を入出金口に残されている紙幣の他方に集積させる集積部と、異常紙幣の記番号と鑑別部２４により異常紙幣より前に鑑別された鑑別済紙幣の記番号とが一致するか否かを判定し、異常紙幣の記番号と鑑別済紙幣の記番号とが一致する場合に、異常紙幣に関連する情報に基づいて、異常紙幣が一巡したか否かを判定する制御部１８と、を備える、入出金機１０が提供される。【選択図】図１
2014164399.tif 000002
【特許請求の範囲】
【請求項１】
複数の紙幣が投入される入出金口と、
前記入出金口に存在する複数の紙幣の一方から順次に紙幣を分離して搬送路へ供給する供給部と、
前記搬送路から供給された紙幣を鑑別する鑑別部と、
前記鑑別部により鑑別された紙幣が異常紙幣であると判定された場合、前記異常紙幣を前記入出金口に残されている紙幣の他方に集積させる集積部と、
前記異常紙幣の記番号と前記鑑別部により前記異常紙幣より前に鑑別された鑑別済紙幣の記番号とが一致するか否かを判定し、前記異常紙幣の記番号と前記鑑別済紙幣の記番号とが一致する場合に、前記異常紙幣に関連する情報に基づいて、前記異常紙幣が一巡したか否かを判定する制御部と、
を備える、紙幣入出金機。
【請求項２】
前記紙幣入出金機は、
前記鑑別部により異常紙幣ではないと判定された紙幣を収納する一時収納部を備え、
前記制御部は、前記異常紙幣の記番号と前記鑑別済紙幣の記番号とが一致する場合に、前記異常紙幣の記番号と前記一時収納部に収納された紙幣の記番号とが不一致であるか否かを判定し、前記異常紙幣の記番号と前記一時収納部に収納された紙幣の記番号とが不一致である場合に、前記異常紙幣が一巡したと判定する、
請求項１に記載の紙幣入出金機。
【請求項３】
前記制御部は、前記異常紙幣の記番号と前記鑑別済紙幣の記番号とが一致する場合に、前記入出金口に投入された投入紙幣の枚数と前記入出金口に存在する紙幣から分離された分離紙幣の枚数とを比較し、前記投入紙幣の枚数が前記分離紙幣の枚数より少ない場合に、前記異常紙幣が一巡したと判定する、
請求項１に記載の紙幣入出金機。
【請求項４】
前記制御部は、前記異常紙幣の記番号と前記鑑別済紙幣の記番号とが一致する場合に、前記鑑別部による前回鑑別時と比較して前記異常紙幣が反転しているか否かを判定し、前記異常紙幣が反転している場合に、前記異常紙幣が一巡したと判定する、
請求項１に記載の紙幣入出金機。
【請求項５】
前記制御部は、前記異常紙幣の記番号と前記鑑別済紙幣の記番号とが一致する場合に、前記鑑別部により過去に鑑別されたときと比較して前記異常紙幣の後続紙幣の記番号が一致するか否かを判定し、前記後続紙幣の記番号が一致する場合に、前記異常紙幣が一巡したと判定する、
請求項１に記載の紙幣入出金機。
【請求項６】
前記制御部は、前記異常紙幣に関連する情報に基づいて前記異常紙幣が一巡したか否かを判定するに際して、複数の番号を比較する場合には、あらかじめ設定された一巡検知用の有効桁位置同士の記番号を比較して判定する、
請求項１に記載の紙幣入出金機。
【請求項７】
前記制御部は、前記異常紙幣がコピー偽券であるかを判定するに際して、複数の記番号を比較する場合には、あらかじめ設定されたコピー偽券検知用の有効桁位置同士の記番号を比較して判定する、
請求項１に記載の紙幣入出金機。
【請求項８】
前記制御部は、前記異常紙幣に関連する情報に基づいて前記異常紙幣が一巡したか否かを判定するに際して、記番号間において対応する桁同士を比較する場合には、当該対応する桁同士が一致しない場合であっても、あらかじめ設定された誤読文字対に一致すれば、当該対応する桁同士が一致すると判定する、
請求項１に記載の紙幣入出金機。
【請求項９】
前記制御部は、前記異常紙幣の記番号と前記一時収納部に収納された紙幣の記番号とが一致する場合に、前記一時収納部に収納された該記番号が一致する紙幣を異常紙幣と判定し前記一時収納部から前記入出金口へ搬送することを特徴とする、
請求項２に記載の紙幣入出金機。
【請求項１０】
特定の紙幣を収納する収納庫を備え、
前記制御部は、前記異常紙幣の記番号と前記一時収納部に収納された紙幣の記番号とが一致する場合に、前記一時収納部に収納された該記番号が一致する紙幣を異常紙幣と判定し前記一時収納部から前記収納庫へ搬送することを特徴とする、
請求項２に記載の紙幣入出金機。
【発明の詳細な説明】
【技術分野】
【０００１】
本発明は、紙幣入出金機、より具体的には、現金自動預払機や自動券売機等の自動取引装置に搭載され、紙幣の入金処理を行う入出金機に関するものである。
【背景技術】
【０００２】
従来の入出金機の入金処理では、たとえば、特許文献１に記載されているように、まず、入出金口に投入された紙幣を連続して１枚ずつ鑑別部へ供給し、紙幣を鑑別する。そして、鑑別部で異常紙幣、すなわち許容以上に他の紙幣に接近したり斜行した紙幣や、偽券、損券等を検知したりした場合、その異常紙幣を入出金口に搬送する。このとき、異常紙幣に後続する何枚かの紙幣も異常紙幣と共に入出金口へ搬送される。入出金口には、投入されてから鑑別部へ供給されていない紙幣と鑑別部を通って入出金口へ戻された紙幣とを区別するための仕切りはない。したがって、入出金口へ戻された紙幣を入出金口内のその他の紙幣と区別することなく、再び連続して鑑別部へ供給する。
【０００３】
このため、たとえば入出金口に投入された紙幣の中に複数の異常紙幣が含まれていた場合や、入出金機内での紙幣の搬送の仕方によっては異常紙幣が１枚だけしか含まれていない場合であっても、鑑別部で鑑別されない紙幣が出てきてしまうことがある。このような紙幣は、鑑別部で鑑別される前に異常紙幣とともに繰り返し入金口へ戻されてしまうのである。
【０００４】
このような従来技術の欠点を解消するための技術が開示されている（例えば、特許文献２を参照）。かかる技術によれば、最初は入出金口に存在する紙幣が連続的に搬送路に供給される。そして、鑑別部で異常紙幣が検知された場合には、その異常紙幣に付された記番号と同一の記番号が付された紙幣が既に鑑別部で鑑別されたことがあるか否かを判断する。そして、当該紙幣が既に鑑別部で鑑別されたことがある場合には、入出金口に存在する紙幣が間欠的に搬送路に供給されるように切り替えられる。
【０００５】
かかる技術により、入出金口に投入された紙幣の中に複数の異常紙幣が含まれていた場合であっても、鑑別されない紙幣が発生するのを防ぐことができ、さらに入金処理を短時間で行うことができる。
【先行技術文献】
【特許文献】
【０００６】
【特許文献１】特開２０１０−１５２７２２号公報
【特許文献２】特開２０１２−０８４０６５号公報
【発明の概要】
【発明が解決しようとする課題】
【０００７】
しかしながら、入出金口に投入された紙幣の中に同一記番号が付された複数の異常紙幣が含まれていた場合には、入出金口に投入された紙幣の搬送路への供給が一巡したか否かを区別することができないという問題がある。
【０００８】
そこで、本発明は、上記問題に鑑みてなされたものであり、本発明の目的とするところは、入出金口に投入された紙幣の中に同一記番号が付された複数の異常紙幣が含まれていた場合であっても、入出金口に投入された紙幣の搬送路への供給が一巡したか否かを区別することが可能な技術を提供することにある。
【課題を解決するための手段】
【０００９】
上記問題を解決するために、本発明のある観点によれば、複数の紙幣が投入される入出金口と、前記入出金口に存在する複数の紙幣の一方から順次に紙幣を分離して搬送路へ供給する供給部と、前記搬送路から供給された紙幣を鑑別する鑑別部と、前記鑑別部により鑑別された紙幣が異常紙幣であると判定された場合、前記異常紙幣を前記入出金口に残されている紙幣の他方に集積させる集積部と、前記異常紙幣の記番号と前記鑑別部により前記異常紙幣より前に鑑別された鑑別済紙幣の記番号とが一致するか否かを判定し、前記異常紙幣の記番号と前記鑑別済紙幣の記番号とが一致する場合に、前記異常紙幣に関連する情報に基づいて、前記異常紙幣が一巡したか否かを判定する制御部と、を備える、紙幣入出金機が提供される。
【００１０】
前記紙幣入出金機は、前記鑑別部により異常紙幣ではないと判定された紙幣を収納する一時収納部を備え、前記制御部は、前記異常紙幣の記番号と前記鑑別済紙幣の記番号とが一致する場合に、前記異常紙幣の記番号と前記一時収納部に収納された紙幣の記番号とが不一致であるか否かを判定し、前記異常紙幣の記番号と前記一時収納部に収納された紙幣の記番号とが不一致である場合に、前記異常紙幣が一巡したと判定してもよい。
【００１１】
前記制御部は、前記異常紙幣の記番号と前記鑑別済紙幣の記番号とが一致する場合に、前記入出金口に投入された投入紙幣の枚数と前記入出金口に存在する紙幣から分離された分離紙幣の枚数とを比較し、前記投入紙幣の枚数が前記分離紙幣の枚数より少ない場合に、前記異常紙幣が一巡したと判定してもよい。
【００１２】
前記制御部は、前記異常紙幣の記番号と前記鑑別済紙幣の記番号とが一致する場合に、前記鑑別部による前回鑑別時と比較して前記異常紙幣が反転しているか否かを判定し、前記異常紙幣が反転している場合に、前記異常紙幣が一巡したと判定してもよい。
【００１３】
前記制御部は、前記異常紙幣の記番号と前記鑑別済紙幣の記番号とが一致する場合に、前記鑑別部により過去に鑑別されたときと比較して前記異常紙幣の後続紙幣の記番号が一致するか否かを判定し、前記後続紙幣の記番号が一致する場合に、前記異常紙幣が一巡したと判定してもよい。
【００１４】
前記制御部は、前記異常紙幣に関連する情報に基づいて前記異常紙幣が一巡したか否かを判定するに際して、複数の番号を比較する場合には、あらかじめ設定された一巡検知用の有効桁位置同士の記番号を比較して判定してもよい。
【００１５】
前記制御部は、前記異常紙幣がコピー偽券であるかを判定するに際して、複数の記番号を比較する場合には、あらかじめ設定されたコピー偽券検知用の有効桁位置同士の記番号を比較して判定してもよい。
【００１６】
前記制御部は、前記異常紙幣に関連する情報に基づいて前記異常紙幣が一巡したか否かを判定するに際して、記番号間において対応する桁同士を比較する場合には、当該対応する桁同士が一致しない場合であっても、あらかじめ設定された誤読文字対に一致すれば、当該対応する桁同士が一致すると判定してもよい。
【００１７】
前記制御部は、前記異常紙幣の記番号と前記一時収納部に収納された紙幣の記番号とが一致する場合に、前記一時収納部に収納された該記番号が一致する紙幣を異常紙幣と判定し前記一時収納部から前記入出金口へ搬送してもよい。
【００１８】
特定の紙幣を収納する収納庫を備え、前記制御部は、前記異常紙幣の記番号と前記一時収納部に収納された紙幣の記番号とが一致する場合に、前記一時収納部に収納された該記番号が一致する紙幣を異常紙幣と判定し前記一時収納部から前記収納庫へ搬送してもよい。
【発明の効果】
【００１９】
以上説明したように本発明によれば、入出金口に投入された紙幣の中に同一記番号が付された複数の異常紙幣が含まれていた場合であっても、入出金口に投入された紙幣の搬送路への供給が一巡したか否かを区別することが可能である。
【図面の簡単な説明】
【００２０】
【図１】本発明の実施形態に係る入出金機の概略的な構成を示すブロック図である。
【図２】図１に示す入出金機が備えられる取引装置の概略的な構成を示すブロック図である。
【図３】図１に示す入出金機の概略的な構成を示す側断面図である。
【図４】図１に示す接客部の概略的な構成を示す側断面図である。
【図５】図１に示す接客部の概略的な構成を示す平面図である。
【図６Ａ】図１に示す実施形態において入金処理における異常紙幣を検知するまでの手順を示すフローチャートである。
【図６Ｂ】図６Ａに続き、紙幣の収納または返却までの動作手順を示すフローチャートである。
【図６Ｃ】図６Ａに続き、異常紙幣を接客部に搬送するまでの動作手順を示すフローチャートである。
【図６Ｄ】図６Ｃに続き、操作表示部に処理結果を表示するまでの動作手順を示すフローチャートである。
【図７】図１に示す実施形態において、入出金口に紙幣が投入されるときの接客部の動作を説明するための接客部の側断面図である。
【図８】図１に示す実施形態において、紙幣を搬送路に供給するときの接客部の動作を説明するための接客部の側断面図である。
【図９】図１に示す実施形態において、入金処理における紙幣の位置の時系列変化を示す説明図である。
【図１０】図１に示す実施形態において、紙幣が接客部から連続供給で供給された時の紙幣の位置を示す説明図である。
【図１１】図１に示す実施形態において、異常紙幣が検出されたときの接客部の動作を説明するための接客部の側断面図である。
【図１２】図１に示す実施形態において、供給方法変更処理を示すフローチャートである。
【図１３】図１に示す実施形態において記番号が記憶された記番号記憶領域の例を示す図である。
【図１４】図１１に続き、紙幣を搬送路から接客部に取り込むときの接客部の動作を説明するための接客部の側断面図である。
【図１５】図１４に続き、紙幣を接客部から搬送路に供給するときの接客部の動作を説明するための接客部の側断面図である。
【図１６】図１３に示す例において記番号の記番号記憶領域への記憶を説明するための図である。
【図１７】図１３に示す例において記番号の記番号記憶領域への記憶を説明するための図である。
【図１８】図２に示す操作表示部に表示される画面の例を示す平面図である。
【図１９】図１８において確認ボタンを押したときに操作表示部に表示される画面の例を示す平面図である。
【図２０】図４に示すゲート部のセンサが紙幣を検知するときの紙幣の位置を説明するための接客部の側断面図である。
【図２１】図２に示す操作表示部に、入出金機が入金処理を行うことができなくなったときに表示される画面の例を示す平面図である。
【図２２】接客部にコピー偽券が投入されなかった場合において、入金処理における紙幣の位置の時系列変化を示す説明図である。
【図２３】図２２に示す例において鑑別済紙幣の記番号と動作との関係を示す図である。
【図２４】接客部にコピー偽券が投入された場合において、入金処理における紙幣の位置の時系列変化を示す説明図である。
【図２５】図２４に示す例において鑑別済紙幣の記番号と動作との関係を示す図である。
【図２６】本発明の第１の実施形態に係る入出金機による入金処理における紙幣の位置の時系列変化を示す説明図である。
【図２７】図２６に示す例において鑑別済紙幣の記番号と動作との関係を示す図である。
【図２８】図２６に示す例において一時収納部における集積紙幣の記番号を示す図である。
【図２９】本発明の第１の実施形態に係る入出金機による供給方法変更処理を示すフローチャートである。
【図３０】本発明の第２の実施形態に係る入出金機による入金処理における紙幣の位置の時系列変化を示す説明図である。
【図３１】図３０に示す例において鑑別済紙幣の記番号と動作との関係を示す図である。
【図３２】本発明の第２の実施形態に係る入出金機による供給方法変更処理を示すフローチャートである。
【図３３】図３０に示す例において管理情報と動作との関係を示す図である。
【図３４】本発明の第３の実施形態に係る入出金機による供給方法変更処理を示すフローチャートである。
【図３５】図３０に示す例において鑑別済紙幣の記番号と後続紙幣の記番号と動作との関係を示す図である。
【図３６】本発明の第４の実施形態に係る入出金機による供給方法変更処理を示すフローチャートである。
【図３７】本発明の第５の実施形態に係る入出金機による一巡検知用の有効桁位置設定例を示す図である。
【図３８】本発明の第５の実施形態に係る入出金機によるコピー偽券検知用の有効桁位置設定例を示す図である。
【図３９】本発明の第５の実施形態に係る入出金機による記番号一致判定処理を示すフローチャートである。
【図４０】本発明の第６の実施形態に係る入出金機による記番号一致判定処理を示すフローチャートである。
【図４１】本発明の第７の実施形態に係る入出金機による一時収納部にある紙幣の記番号との一致判定時動作を示すフローチャートである。
【図４２】本発明の第７の実施形態に係る入出金機による供給方法変更処理を示すフローチャートである。
【図４３】本発明の実施形態に係る入出金機による一時収納部にある紙幣の収納動作を示すフローチャートである。
【図４４】本発明の第８の実施形態に係る入出金機による一時収納部にある紙幣の入金口への返却動作を示すフローチャートである。
【発明を実施するための形態】
【００２１】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２２】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００２３】
［実施形態の説明］
図１に本実施形態に係る入出金機１０を示す。入出金機１０は、現金自動預払機や自動券売機等の自動取引装置に設置されて、紙幣の入金処理、出金処理等を行うものである。入出金機１０は、紙幣の入金処理だけを行ってもよい。
【００２４】
ここで、入金処理とは、顧客により投入された紙幣を計数等して入出金機の収納部に収納する処理である。また、出金処理とは、収納部に収納されている紙幣を計数等し、顧客に払い出す処理である。
【００２５】
本実施形態の自動取引装置１２は、図２に示すように、入出金機１０の他に、これに接続された主制御部１４、および操作表示部１６を含む。主制御部１４は、自動取引装置１２全体を制御するものであり、中央処理装置（ＣＰＵ）等の演算および制御手段を含む。また、主制御部１４は、制御プログラムを格納するメモリ素子や磁気ディスク等を含み、制御プログラムに基づいて入出金機１０を制御する。操作表示部１６は、主制御部１４に接続されて顧客の操作を誘導する画面等を表示して顧客の操作を受け付けるものである。
【００２６】
本実施形態の入出金機１０は、図１および図３に示すように、制御部１８と、搬送部２０と、接客部２２と、鑑別部２４と、記憶部２６と、一時収納部２８と、カセット３０と、第１の収納庫３１と、第２の収納庫３２と、シャッタ３８とを含み、これらが図示のように相互接続されている。本実施形態の入出金機１０では、基本的には、紙幣４０は接客部２２の入出金口に投入され、１枚ずつ鑑別部２４へ送られて鑑別され、一時収納部２８へ送られ、すべての紙幣の鑑別が終わるとカセット３０に金種ごとに収納される。しかし、場合によっては、紙幣は、鑑別部２４や一時収納部２８から接客部２２へ戻されたり、第１の収納庫３１や第２の収納庫３２や第３の収納庫３４に収納されたりする。
【００２７】
以下、本実施形態の入出金機１０の各部についてより詳細に説明する。
【００２８】
制御部１８は、少なくとも入出金機１０全体の動作を制御するものである。もちろん、入出金機１０は制御部１８を含まなくてもよく、主制御部１４が入出金機１０全体の動作を制御してもよい。
【００２９】
搬送部２０は、入出金機の各部へ紙幣を搬送するものであり、図３に示すように、搬送路２０ａ、２０ｂ、２０ｃ、２０ｄおよび２０ｅと切替ブレード２０ｆとを含む。搬送路２０ａ、２０ｂ、２０ｃおよび２０ｄは接客部２２から鑑別部２４を通って接客部２２へ続き、また搬送路２０ｅは鑑別部２４からカセット３０や第１の収納庫３１へ続く。搬送路には分岐点があり、紙幣は分岐点で搬送路から第２の収納庫３２や一時収納部２８などへ向かうことができる。
【００３０】
ここで、搬送路２０ａは接客部２２の入出金口と鑑別部２４とを結び、搬送路２０ｂは鑑別部２４と第２の収納庫３２への分岐点とを結び、搬送路２０ｃは第２の収納庫３２への分岐点と一時収納部２８への分岐点とを結び、搬送路２０ｄは一時収納部２８への分岐点と入出金口とを結ぶ。
【００３１】
切替ブレード２０ｆは搬送路の分岐点に設けられていて、切替ブレードを制御することにより紙幣の搬送先を切り替えることができる。
【００３２】
また、本実施形態の搬送路２０ａないし２０ｅは、ベルト対またはローラ対で紙幣の両面から挟んで紙幣を搬送する。本実施形態の搬送路２０ａないし２０ｅは、モータ等の駆動手段により駆動され、駆動手段を制御することにより紙幣の搬送方向や搬送速度を制御することができる。
【００３３】
接客部２２は、顧客の操作により、入出金口から投入された紙幣４０を受け入れ、また、顧客へ返却する紙幣、すなわち顧客へ出金する紙幣や顧客が投入した紙幣４０のうち異常紙幣と鑑別された紙幣などを顧客に渡す部位である。さらに、接客部２２は入出金口内の紙幣を１枚ずつ搬送路２０ａに供給し、搬送路２０ｄによって接客部２２に搬送されてきた紙幣を接客部２２に取り込むものである。
【００３４】
鑑別部２４は紙幣の鑑別および計数を行うものである。本実施形態の鑑別部は、光学式ＣＣＤ（Ｃｈａｒｇｅ  Ｃｏｕｐｌｅｄ  Ｄｅｖｉｃｅ）センサを含み、ＣＣＤセンサにより紙幣の両面の画像データ等を取得し、その画像データ等と紙幣鑑別用にデータベースに予め登録されている画像データ等とを照合して紙幣の真偽、正損、金種などを鑑別することができる。また、本実施形態の鑑別部２４は、鑑別部を通過する紙幣の間隔や走行などの搬送異常を検知する。もちろん、鑑別部２４はＣＣＤセンサ以外のセンサ、たとえば磁気センサなどを用いて紙幣の画像データを取得してもよい。以下では、鑑別部２４で偽券または搬送異常と判定された紙幣を異常紙幣と称する。
【００３５】
本実施形態の鑑別部２４はさらに識別情報読取部を含み、識別情報読取部はＣＣＤセンサなどにより取得された紙幣の画像データから各紙幣を識別するための識別情報を読み取る。本実施形態では、識別情報は紙幣毎に印刷された記番号である。読み取られた記番号４４は紙幣識別情報として用いられる。
【００３６】
ここで、記番号は、たとえば紙幣毎に付与されてその紙幣に予め印刷されている英数字等で構成された文字列である。
【００３７】
鑑別部２４は、鑑別結果４２や計数結果および記番号４４を制御部１８に渡し、制御部１８は、鑑別結果４２および記番号４４を記憶部２６に渡す。
【００３８】
なお、鑑別部２４では画像データのみを取得して制御部１８でこの画像データを用いて紙幣を鑑別したり記番号を読み取ったりしてもよい。この場合、識別情報読取部は制御部１８に含まれてもよい。
【００３９】
記憶部２６は、メモリ素子や磁気ディスク等を含み、鑑別部２４の鑑別結果４２や計数結果などを記憶するものである。なお、この記憶部２６は、自動取引装置１２全体を制御するための各種制御プログラム（ソフトウェア）を格納してもよい。また、記憶部２６は、鑑別部２４で鑑別された紙幣の金種、損傷程度、枚数などの情報を、一時収納部２８におけるその紙幣の収納順位と共に記憶する。
【００４０】
本実施形態の記憶部２６は記番号記憶領域４６を含み、記番号記憶領域４６は、記番号４２を記憶する。記番号４２は鑑別部２４で取得された順に格納される。
【００４１】
さらに本実施形態の記憶部２６は、接客部２２が搬送路２０ａに紙幣を供給する方法に関する設定情報４８も記憶される。以下では、この情報４８を「供給情報」と称する。供給方法には「連続供給」と「間欠供給」とがある。記憶部２６の供給情報４８が連続供給を示すものであれば、接客部２２は紙幣を連続して搬送路２０ａに供給する。一方、記憶部２６の供給情報４８が間欠供給を示すものであれば、接客部２２は間欠的に紙幣を搬送路２０ａに供給する。以下では、連続供給を示す供給情報を単に「連続供給」と称し、間欠供給を示す供給情報を単に「間欠供給」と称する。
【００４２】
ここで、「連続供給」および「間欠供給」についてさらに詳細に説明する。
【００４３】
供給情報４８が「連続供給」の場合、接客部２２は所定の最短間隔で紙幣を搬送路２０ａへ供給する。所定の最短間隔とは、本実施形態では鑑別部２４で紙幣を鑑別するのにかかる時間や切替ブレード２０ｆを切り替えるのにかかる時間等を考慮し、入金処理を最も短い時間で完了させることができる間隔のことであるが、これに限られない。「連続供給」の場合、接客部２２から搬送路２０ａへ供給された紙幣が鑑別部２４で鑑別される前に、その紙幣に後続する１又は複数枚の紙幣が接客部２２から搬送路２０ａに供給される。
【００４４】
供給情報４８が「間欠供給」の場合、接客部２２から搬送路２０ａへ供給された紙幣が鑑別部２４で鑑別された後、その紙幣に後続する１枚の紙幣が接客部２２から搬送路２０ａに供給される。
【００４５】
したがって、接客部２２から供給された紙幣が鑑別部２４で鑑別されているとき、「連続供給」では搬送路２０ａには複数の後続紙幣が存在するが、「間欠供給」では搬送路２０ａには後続紙幣が存在しない。
【００４６】
一時収納部２８は、顧客により接客部２２に投入された紙幣を一時的に収納するものである。本実施形態の一時収納部２８は、紙幣を巻込テープ等でドラムに巻き付けて収納する。一時収納部２８は顧客の操作により入金取引が成立するまで、すなわち入金金額が確認されるまで、一時的に紙幣をドラムに巻き付けて収納する。一方、顧客の操作により入金取引が取り消された場合、一時収納部２８に収納された紙幣は接客部２２に戻される。
【００４７】
カセット３０は、顧客との取引にリサイクル可能な紙幣を収納するものである。カセット３０の内部には昇降機構によって上下に動くことができるステージが備えられ、カセット３０の集積機構により収納される紙幣はこのステージ上に集積される。また、カセット３０には供給機構が設けられ、供給機構によってカセット３０内の紙幣を１枚ずつ搬送路２０ｅに送り出すことができる。カセット３０は、本実施形態では、それぞれ同一構造のカセット３０Ａ、カセット３０Ｂ、およびカセット３０Ｃを含む。
【００４８】
第１の収納庫３１は、接客部２２に投入された紙幣のうち、顧客との取引に使用しない金種の紙幣、たとえば二千円札や五千円札を収納する入金庫であり、搬送路で搬送されてきた紙幣を集積することができる。
【００４９】
第２の収納庫３２は、出金処理時に鑑別部２４において出金には適さないとした紙幣を収納する出金リジェクト庫である。第３の収納庫３４は、特定の紙幣を収納する収納庫であり、例えば、入金処理時または出金処理時に鑑別により偽券であると判別した紙幣を収納する偽券庫である。  
【００５０】
シャッタ３８は、入出金口の上部に配置され、顧客が紙幣を投入する時や紙幣を取り出す時などに入出金口を解放し、紙幣を入出金機１０に取り込む際などには入出金口を閉鎖するものである。本実施形態では、シャッタ３８はスライド式のシャッタであり、後述する接客部２２のピックアップローラが紙幣を搬送する方向に対して直交する方向に往復移動可能に構成されている。
【００５１】
ここで図４および図５を参照して、本実施形態の接客部２２をより詳細に説明する。本実施形態の接客部２２は、入出金口３９と、供給部５０と、支持板５２と、プールガイド５４と、ビルプレス５６と、側板５８と、集積部６０とを含む。
【００５２】
供給部５０は、入出金口に存在する複数の紙幣４０の一方から順次に紙幣を分離して搬送路２０ａへ供給し、搬送路２０ａの入口にある紙幣を入出金口内に戻すものであり、ピックアップローラ６２とフィードローラ６４と分離ローラ６６とを含む。
【００５３】
ピックアップローラ６２は支持板５２上に立位で支持された紙幣をフィードローラ６４と分離ローラ６６に向けて送り出し、フィードローラ６４と分離ローラ６６から送られてきた紙幣を支持板５２上に送るものである。
【００５４】
ピックアップローラ６２は、ピックアップローラ軸６２ａを含み、軸６２ａを中心に正逆回転可能に構成され、入出金口３９の側方で支持板５２の上方に配置されている。ピックアップローラ６２の外周面の一部にはゴム等の摩擦係数の大きい高摩擦部材が取り付けられ、これによりピックアップローラ６２は、容易に紙幣を引き出したり引き入れたりすることができる。
【００５５】
フィードローラ６４は分離ローラ６６と共に、ゲート部６７を構成し、ピックアップローラ６２から送られてきた紙幣をさらに矢印Ｅ方向に搬送路２０ａへ送り出し、また搬送路２０ａの入り口にある紙幣をピックアップローラ６２へ送るものである。
【００５６】
フィードローラ６４はフィードローラ軸６４ａを含み、軸６４ａを中心に正逆回転可能に構成されている。フィードローラ６４は、支持板５２の端部付近であって、供給部５０が紙幣を矢印Ｅ方向に搬送する際にピックアップローラ６２の下流となる位置に配置されている。
【００５７】
フィードローラ６４の外周面の一部には、高摩擦材が取り付けられていて、これによりフィードローラ６４は紙幣を容易に入出金口３９に搬入し、入出金口３９から搬出することができる。また、フィードローラ６４には、円周方向の全周にわたりリング状の溝部が２本並設されている。
【００５８】
ここで、ピックアップローラ６２とフィードローラ６４は、ギア列等の動力伝達機構で接続されており、フィードローラ６４の回転にともなってピックアップローラ６２は同方向かつ同速度で回転する。
【００５９】
分離ローラ６６は、フィードローラ６４に対向して配置され、その外周面にはフィードローラ６４の溝部の間の凸部に噛み合う１本の溝が、円周方向の全周にわたりリング状に設けられている。分離ローラ６６は分離ローラ軸を含み、分離ローラ軸を中心に一方向に回転することができる。分離ローラ６６は、紙幣を入出金口３９へ搬入するときはフィードローラ６４と共に回転するが、紙幣を入出金口３９から搬出するときは回転しない。
【００６０】
プールガイド５４は、入出金口３９のピックアップローラ６２側に配置され、ピックアップローラ６２が紙幣を送り出す方向に直交する方向、すなわち図４および図５の矢印Ａおよび矢印Ｂ方向に往復移動可能である。プールガイド５４には開口が設けられ、このためプールガイド５４の動きがピックアップローラ６２によって妨げられることはない。
【００６１】
ビルプレス５６は、入出金口３９のピックアップローラ６２側とは反対の側に配置された厚板部材であり、この厚板部材は図４に示すように側方から見ると台形である。ビルプレス５６は、プールガイド５４と対向して図４および図５の矢印Ａおよび矢印Ｂ方向に往復移動可能に備えられている。さらにビルプレス５６は、回転支点を中心に回動可能に構成されている。また、ビルプレス５６のピックアップローラ６２側の面には傾斜面５６ａが設けられ、傾斜面５６ａは、支持板５２に近づくにつれプールガイド５４から離れるよう傾斜している。
【００６２】
プールガイド５４およびビルプレス５６の側面には案内部６８が設けられていて、案内部６８は、側板５８に設けられたガイド部に嵌合され、ガイド部を滑動することができる。本実施形態の案内部６８はモータやベルト等を介してプールガイド５４およびビルプレス５６を移動させる。したがって、本実施形態のプールガイド５４およびビルプレス５６の移動量および位置は、ステッピングモータの回転制御やモータの回転軸に取り付けたエンコーダ等により管理することができる。
【００６３】
集積部６０は、搬送路２０ｄにより接客部２２へ搬送されてきた紙幣を入出金口３９内に取り込むものであり、集積ローラ７０と、プレッシャローラ７２と、羽根車７４とを含む。集積部６０は、入出金口３９に紙幣が残されている場合、搬送されてきた紙幣を入出金口３９に残されている紙幣の他方に重なるように集積する。
【００６４】
集積ローラ７０は、プレッシャローラ７２と共に搬送路２０ｄにより搬送された紙幣をプールガイド５４方向に搬送するものである。集積ローラ７０は、集積ローラ軸を中心に回転可能であり、図４に示すように、支持板５２のフィードローラ６４とは反対側の端部付近に配置されている。
【００６５】
プレッシャローラ７２は、集積ローラ７０に対向して配置され、プレッシャローラ軸を中心に回転可能である。
【００６６】
羽根車７４は、図４に示すように、集積ローラ７０と並んで配置され、集積ローラ７０とプレッシャローラ７２が紙幣を入出金口内に取り込む際、紙幣の下端部を叩く。これにより、紙幣はプールガイド５４に単独で、または他の紙幣と共に沿うことができる。
【００６７】
本実施形態の入出金機１０はさらに、手挿入検知センサ７６、紙幣セット検知センサ７８、通過検知センサ８０および受渡検知センサ８２を含む。以下ではこれらのセンサについて説明する。
【００６８】
手挿入検知センサ７６は、図４に示すように接客部２２に設置され、顧客が入出金口３９に紙幣を投入するとき、または、出金や返却された紙幣を取り出すときに挿入される顧客の手などを検知するものであり、複数個の光学式センサで構成される。
【００６９】
紙幣セット検知センサ７８は、図４に示すように接客部２２に設置され、入出金口３９内に紙幣が存在するか否かを検知するものである。
【００７０】
通過検知センサ８０は、図４に示すように接客部２２に設置され、ピックアップローラ６２やフィードローラ６４が回転することにより搬送路２０ａに送り出された紙幣がゲート部６７を通過するのを監視し、またゲート部６７を通過した紙幣の枚数を計数するものである。なお、センサ８０が紙幣を検知する場合には、紙幣がフィードローラ６４と分離ローラ６６との間で挟持されて、紙幣の一部が搬送路２０ａ側に突出しているものと見なす。
【００７１】
受渡検知センサ８２は、図３に示すように一時収納部２８に設置され、搬送路２０ｃから一時収納部２８に取り込まれる紙幣の通過監視を行うものである。
【００７２】
以上の他に、本実施形態の入出金機１０は、搬送用モータや搬送部の切替ブレード用のソレノイド等を有するが、本願発明に関係しないために説明を省略する。
【００７３】
また、必要に応じて、搬送路２０ｄの途中あるいはその他の適当な場所に紙幣の向きを変える装置を設け、鑑別部２４を通った紙幣が入出金口３９に戻されたとき、この紙幣の上下および表裏が逆の状態で入出金口３９に収納されるようにしてもよい。これにより、この紙幣が鑑別部２４で再び鑑別される際、異なった向きで鑑別されるため、以前の鑑別では取得できなかった情報を取得することができる。
【００７４】
次に、本実施形態の入出金機１０における入金処理を、図６Ａないし図６Ｄを参照して説明する。
【００７５】
まず、顧客が操作表示部１６を用いて「預入」取引を選択すると、接客部２２では、図７に示すように、プールガイド５４とビルプレス５６とが入出金口３９のほぼ中央に移動し、シャッタ３８が開かれる。これにより、顧客は紙幣４０を入出金口３９に投入することができる。以下では、顧客が紙幣を入出金口に投入する際のプールガイド５４とビルプレスの位置を「投入位置」と称する。入金処理を開始する際、顧客は通帳またはキャッシュカードを図示しない処理部に挿入してもよい。
【００７６】
また、「預入」取引が選択されると、制御部１８は、記憶部２６に供給情報４８として「連続供給」を記憶させる（ステップＳ１）。このとき、記番号記憶領域４６は初期化される。
【００７７】
入出金口３９に投入された紙幣４０は、センサ７８によって検知される（ステップＳ１）。紙幣がセンサ７８によって検知された後、顧客の手がセンサ７６によって検知されなくなると、顧客による紙幣の投入が完了したものと判断されシャッタ３８は閉められる（ステップＳ２）。
【００７８】
シャッタ３８が閉められたことが図示しない検知器により検出されると、ビルプレス５６は図８に示す矢印Ｂ方向に移動する。これにより、紙幣はビルプレス５６とプールガイド５４とに挟まれて、供給部５０が紙幣４０を搬送路２０ａに供給可能な位置まで移動する。以下では、この位置を「供給位置」と称する。ビルプレス５６は供給位置の近傍で図示しない回転機構により回転し、ビルプレスの斜面５６ａは支持板５２に対して起立する。これによって紙幣４０は、図８に示すように、斜面５６ａによってピックアップローラ６２に押し付けられる（ステップＳ３）。
【００７９】
紙幣４０が供給位置でプールガイド５４に押し付けられると、ピックアップローラ６２およびフィードローラ６４は、図８に示す矢印Ｃ方向に回転し、紙幣を１枚ずつ搬送路２０ａへ送り出し始める。同時に、搬送部２０は、搬送路２０ａから２０ｃを含む搬送部２０の各部を起動させる。
【００８０】
ここで、記憶部２６には供給情報として「連続供給」が記憶されているため、供給部５０は紙幣４０を連続供給で搬送路２０ａに供給する（ステップＳ４）。なお、入出金口３９の１枚目の紙幣は、先行する紙幣が存在しないため、搬送路２０ａへの供給が可能な状態になると、直ぐに搬送路２０ａに供給される。
【００８１】
接客部２２から搬送路２０ａに送り出された紙幣は、鑑別部２４に達する。
【００８２】
鑑別部２４では、紙幣の鑑別や記番号の読取りが行われる（ステップＳ５）。鑑別部２４で得られた鑑別結果４２および記番号４４は、制御部１８へ通知される。記番号４４は、鑑別部２４で鑑別された順に記憶部２６の記憶領域４６に記憶される（ステップＳ６）。
【００８３】
制御部１８では、鑑別結果４２に基づいて、鑑別部２４にある紙幣に異常があるか否かの判定が行われる（ステップＳ７）。ステップＳ７において、鑑別結果４２が異常紙幣を示すものでないときは（ＮＯ）、紙幣は一時収納部２８へ送られる（ステップＳ８）。そして、センサ７８を用いて入出金口３９内に紙幣が存在するか否か、すなわち紙幣の供給が終了したか否かを判定し（ステップＳ９）、終了していなければ（ＮＯ）ステップＳ４へ戻り、終了していれば紙幣の計数結果を操作表示部１６に表示する（ステップＳ１０）。たとえば、顧客が一万円札を１０枚入出金口に投入した場合には、操作表示部１６に「１０万円を口座入金」と表示して、顧客に計数結果の最終確認を求める。
【００８４】
顧客が計数結果の確認をし（ステップＳ１１）、操作表示部１６の確認ボタンを押して計数結果を承認すると（ＯＫ）、一時収納部２８に格納されたすべての紙幣は搬送路２０ｃ、２０ｂおよび２０ｅを経て、該当する金種のカセット３０Ａ、３０Ｂまたは３０Ｃのいずれかへ送られ（ステップＳ１２）、入金処理は終了する。
【００８５】
なお、鑑別部２４による鑑定で正券や偽券ではなく、損券や還流対象外の金種、すなわち入出金取引での使用に適さない金種（たとえば、二千円札や五千円札）であると判定された紙幣については、第１の収納庫３１に格納してもよい。
【００８６】
ステップＳ１１において、顧客が操作表示部の取消ボタンを押して計数結果を承認しない場合（ＮＧ）、入金を取り消すための処理を開始する。
【００８７】
まず、プールガイド５４とビルプレス５６を集積ローラ側へ移動させ、出金紙幣を受け入れることができる状態にする（ステップＳ１３）。
【００８８】
次に、一時収納部２８に格納されている紙幣をすべて搬送路２２ｄへ渡し、接客部２２へ搬送して入出金口３９に集積する（ステップＳ１４）。このときには、センサ７８が最初に取り込まれる紙幣を検出する。
【００８９】
すべての紙幣が入出金口内に集積されると、シャッタ３８が開けられる。顧客が入出金口３９から紙幣を取り出すと、センサ７６がこれを検知してシャッタは閉じられる（ステップＳ１５）。
【００９０】
なお、センサ７８が紙幣を検知している状態では、一定期間シャッタ３８を閉めずに操作表示部１６に「紙幣をお取りください。」を表示し続ける。
【００９１】
また、ステップＳ１１において、確認ボタンが押された場合には、入金成立として通帳記載や口座残高情報の更新などをし、媒体（通帳又はキャッシュカード）を返却してもよいが、説明は省略する。
【００９２】
次に、ステップＳ７において「鑑別異常」が発生した場合（ＹＥＳ）について図６Ｃ、図９および図１０を参照して説明する。
【００９３】
図９および図１０に示す例では、入出金口３９に１０枚の紙幣Ｍ１ないしＭ１０が投入され、紙幣Ｍ４およびＭ８は異常紙幣である。図９において、ＡからＥは入出金機１０における紙幣の位置を表し、Ａは入出金口３９、Ｂは搬送路２０ａ、Ｃは鑑別部２４、Ｄは搬送路２０ｂまたは２０ｃ、Ｅは一時収納部２８である。図９に示す例では、入金処理はステップＴ０〜Ｔ１５の順に進行する。したがって図９はステップＴ０ないしＴ１５における各紙幣の位置を表している。さらに図９は各部における紙幣の並び順を表し、たとえば図９ステップＴ０では、入出金口３９で紙幣Ｍ１ないしＭ１０が供給部に近い側からＭ１ないしＭ１０の順に並んでいることを表す。また、以下では紙幣Ｍ１ないしＭ１０の記番号は、それぞれＮ１ないしＮ１０であるとする。
【００９４】
図１０は、入出金口３９から紙幣がＭ１から順に連続供給で搬送路２０ａに供給されて、異常紙幣Ｍ４が鑑別部２４に到達している様子を示す。このとき一時収納部２８には正券Ｍ１およびＭ２が、搬送路２０ｃには紙幣Ｍ３が、鑑別部２４には紙幣Ｍ４が、搬送路２０ａには紙幣Ｍ５およびＭ６が、供給部には供給途中の紙幣Ｍ７が、そして入出金口３９には紙幣Ｍ８ないしＭ１０が存在する（図９のステップＴ１）。
【００９５】
ステップＳ７において、鑑別部２４の紙幣Ｍ４が異常紙幣であることが検知されると（ＹＥＳ）、供給部５０は紙幣の供給を停止する（ステップＳ１６）。
【００９６】
制御部１８は、センサ８０の出力の有無によりゲート部６７に供給中の紙幣があるかどうかを判断する（ステップＳ１７）。
【００９７】
ステップＳ１７においてゲート部６７に紙幣が無い場合には（ＮＯ）、プールガイド５４とビルプレス５６を集積位置へ移動させる（ステップＳ１８）。「集積位置」とは、図１４に示すように、搬送路２０ｄにより接客部２２に搬送されてきた紙幣を集積部６０が入出金口３９内に取り込む際のプールガイド５４とビルプレス５６の位置である。本実施形態では、プールガイド５４はプールガイドの投入位置または投入位置より集積ローラ７０に近い位置まで移動する。一方、ビルプレス５６は、プレッシャローラと並ぶ位置まで移動する。
【００９８】
一方、図１０に示す例ではゲート部６７に紙幣Ｍ７が存在するので（ＹＥＳ）、フィードローラ６４と分離ローラ６６を図８に示す矢印Ｄ方向に所定回数だけ回転させる。これにより、このゲート部６７に存在する紙幣Ｍ７は入出金口３９内に戻され、入出金口３９の紙幣Ｍ８、Ｍ９およびＭ１０に重ねられる（ステップＳ１９）。さらに、センサ８０の情報によって、これらのローラの矢印Ｄ方向への回転数を増加させることもできる。
【００９９】
センサ８０の検出結果に基づいて、紙幣Ｍ７を入出金口３９に戻す処理が正常に終了したがどうか判定される（ステップＳ２０）。
【０１００】
ステップＳ２０において紙幣Ｍ７が入出金口３９に戻されたと判定されると（ＹＥＳ）、プールガイド５４とビルプレス５６を集積位置へ移動させる（ステップＳ１８）。ステップＳ１８では、プールガイド５４とビルプレス５６は、図１１に示すように、紙幣Ｍ７、Ｍ８、Ｍ９およびＭ１０の４枚の紙幣を挟んだまま集積ローラ７０側へ移動し、それぞれの集積位置で停止する。図示しない検知手段がプールガイド５４とビルプレス５６の移動が完了したか否かを判断する。
【０１０１】
ここでステップＳ１８において、プールガイド５４とビルプレス５６を移動させる前に、供給部５０のローラを矢印Ｄ方向に回転させてもよい。なぜなら、供給部５０において紙幣の供給が連続して行われると、一般的に、入出金口３９の供給対象の紙幣と共に、この紙幣に隣接する紙幣がフィードローラと分離ローラの直近まで引きずり込まれてしまうからである。この状態でプールガイド５４とビルプレス５６を移動させると、引きずり込まれている紙幣がプールガイド５４とビルプレス５６の移動を妨げる場合がある。
【０１０２】
ステップＳ１８において、プールガイド５４とビルプレス５６を移動させた後、またはプールガイド５４とビルプレス５６の移動と並行して、搬送路２０ｃにある紙幣Ｍ３を一時収納部２８に搬送し、鑑別部２４にある紙幣Ｍ４と搬送路２０ａにある紙幣Ｍ５およびＭ６とを入出金口３９に戻す（ステップＳ２１）。これにより、一時収納部２８には紙幣Ｍ１ないしＭ３が格納され、その格納順はＭ１、Ｍ２、Ｍ３である（図９のステップＴ２）。また、このときの入出金口３９での紙幣の並び順は供給部５０に近い側からＭ７、Ｍ８、Ｍ９、Ｍ１０、Ｍ４、Ｍ５、Ｍ６である（図９のステップＴ２）。その後、所定の場合に供給部の供給方法を変更する（ステップＳ２４）。
【０１０３】
ここで、ステップＳ２４における処理を、図１２を参照してより詳細に説明する。
【０１０４】
制御部１８は、記憶領域４６から最新の記番号を取り出し、記憶領域４６の先頭から最後尾までを検索し、最新の記番号以外に、この記番号と一致する記番号が存在するか否かを判定する（ステップＳ３１）。たとえば、図９のステップＴ２では、記憶領域４６には、図１３に示すように紙幣Ｍ１ないしＭ４の記番号Ｎ１ないしＮ４が鑑別部で取得された順に記憶され、最新の記番号は記憶領域４６で４番目に記憶されている記番号Ｎ４である。この記番号と同じ記番号が最新の記番号より先に記憶領域４６に記憶されているか否かを判定する。
【０１０５】
図１３に示す例では、最新の記番号Ｎ４と同じ記番号は、記憶領域４６の１番目から３番目に記憶されている記番号の中に存在しない（ＮＯ）。この場合、制御部１８は記憶部２６に格納されている供給情報を変更させることなく、ステップＳ２４の処理を終了する。
【０１０６】
一方、最新の記番号Ｎ４と同じ記番号が最新の記番号より先に記憶されている場合には（ＹＥＳ）、制御部１８は記憶部２６の供給情報を「連続供給」から「間欠供給」に変更する（ステップＳ３２）。
【０１０７】
なお、既に記憶領域４６の供給情報が「間欠供給」に変更されている場合には、ステップＳ２４の処理は行わなくてよい。
【０１０８】
紙幣Ｍ４、Ｍ５およびＭ６が入出金口３９に戻されると、制御部１８は記憶部２６に格納されているリトライ回数に１を加算する。ここでリトライ回数とは、供給部５０がステップＳ１６のために紙幣の供給を停止した回数を示し、初期値は０である。したがって、図９のステップＴ３においてリトライ回数は１である。
【０１０９】
制御部１８はリトライ回数が設定回数を超えているか否かを判定する（ステップＳ２６）。設定回数は任意の値でよいが、本実施形態では５である。
【０１１０】
リトライ回数が設定回数を超えていない場合には（ＮＯ）、図１５に示すようにプールガイド５４とビルプレス５６を供給位置に移動させ（ステップＳ３）、供給部５０から搬送路２０ａへの紙幣の供給を再開する。そしてリトライ回数が設定回数を超えるまでステップＳ３以降の処理を繰り返す。
【０１１１】
図９に示す例では、ステップＴ３の後、入出金口３９にある紙幣は紙幣Ｍ７から順に連続供給で搬送路２０ａに供給され、紙幣Ｍ８が鑑別部２４に到達すると（図９のステップＴ３）、ステップＳ７で紙幣Ｍ８が異常紙幣であることが検知され（ＹＥＳ）、搬送路２０ｃにある紙幣Ｍ７を一時収納部２８に搬送し、鑑別部２４にある紙幣Ｍ８と搬送路２０ａにある紙幣Ｍ９およびＭ１０を入出金口３９に戻す（図９のステップＴ４）。このとき記憶領域４６には、図１６に示すように、最新の記番号以外に紙幣Ｍ８の記番号Ｎ８と同じ記番号は記憶されていないので、ステップＳ３１で記憶部２６の供給情報は「連続供給」から「間欠供給」変更されることはない（図９のステップＴ４）。このときリトライ回数は１加算されて２になる。
【０１１２】
ステップＳ２６でリトライ回数が設定回数を超えていないと判定され（ＯＫ）、ステップＳ３に戻り、供給部５０から紙幣が連続供給で搬送路２０ａに供給される。これにより、紙幣Ｍ４が鑑別部２４に達すると（図９のステップＴ５）、ステップＳ７で紙幣Ｍ４が異常紙幣であることが検知され、鑑別部２４にある紙幣Ｍ４と搬送路２０ａにある紙幣Ｍ５およびＭ６を入出金口３９に戻す（図９のステップＴ６）。そして、ステップＳ２４の処理が行われる。このとき記憶領域４６には図１７に示すように記番号が記憶されている。したがって、ステップＳ３１で最新の記番号以外に紙幣Ｍ４の記番号と同じ記番号が既に記憶領域４６に記憶されていると判定され（ＹＥＳ）、ステップＳ３２で記憶部２６の供給情報は「間欠供給」に変更される。リトライ回数は１加算されて３になる。
【０１１３】
その後、ステップＳ３に戻り、供給部５０は紙幣の供給を開始する。このとき、記憶部２６の供給情報４８は「間欠供給」であるため、入出金口３９の紙幣は間欠供給で搬送路２０ａに供給される。したがって、紙幣Ｍ８が鑑別部２４で鑑別されているとき、紙幣Ｍ９、Ｍ１０、Ｍ４、Ｍ５、Ｍ６は入出金口３９にある（図９のステップＴ７）。
【０１１４】
ステップＳ７で紙幣Ｍ８は異常紙幣であることが検知され、紙幣Ｍ８は入出金口３９へ戻される（図９のステップＴ８）。ここで供給情報４８が「間欠供給」に変更された後は、ステップＳ２４の処理は行わなくてよい。また、リトライ回数が１加算されて４になる。ステップＳ４に戻り、紙幣Ｍ９が入出金口３９から鑑別部２４に供給される（図９のステップＴ９）。
【０１１５】
ステップＳ７で紙幣Ｍ９は正券であることが検知されると、紙幣Ｍ９はステップＳ８で一時収納部２８へ収納され、ステップＳ４で紙幣Ｍ１０が入出金口から鑑別部２４に供給される（図９のステップＴ１０）。
【０１１６】
ステップＳ７で紙幣Ｍ１０は正券であることが検知されると、紙幣Ｍ１０はステップＳ８で一時収納部２８へ収納され、ステップＳ４で紙幣Ｍ４が入出金口３９から鑑別部２４に供給される（図９のステップＴ１１）。
【０１１７】
ステップＳ７で紙幣Ｍ４は偽券であることが検知されると、ステップＳ１８で紙幣Ｍ４は入出金口３９へ戻され（図９のステップＴ１２）、リトライ回数は１加算されて５になる。ステップＳ４に戻り、紙幣Ｍ５が入出金口３９から鑑別部２４に供給される（図９のステップＴ１３）。
【０１１８】
ステップＳ７で紙幣Ｍ５は正券であることが検知されると、紙幣Ｍ５はステップＳ８で一時収納部２８へ収納され、ステップＳ４で紙幣Ｍ６が入出金口から鑑別部２４に供給される（図９のステップＴ１４）。
【０１１９】
ステップＳ７で紙幣Ｍ６は正券であることが検知されると、紙幣Ｍ６はステップＳ８で一時収納部２８へ収納され、ステップＳ４で紙幣Ｍ８が入出金口３９から鑑別部２４に供給される（図９のステップＴ１５）。
【０１２０】
ステップＳ７で紙幣Ｍ８は偽券であることが検知されると、ステップＳ２１で紙幣Ｍ８は入出金口３９へ戻され、リトライ回数は１加算されて６になる。
【０１２１】
ステップＳ２６においてリトライ回数が設定回数を超えると、入出金機１０は所定の処理を行った後、処理結果を操作表示部１６に表示する（ステップＳ２３）。
【０１２２】
所定の処理とは、本実施形態ではステップＳ１９でゲート部６７の紙幣Ｍ７が入出金口３９に戻らなかった場合の処理と同じ処理であり、この処理については後述する。所定の処理の他の例として、入出金口３９の紙幣を鑑別部２４へ搬送してより詳細に鑑別してもよい。この場合、鑑別部で詳細に鑑別した結果、正券と判断された紙幣を一時収納部２８に収納してよく、その結果入出金口３９に紙幣が無くなった場合には、ステップＳ１０へ進んでもよい。
【０１２３】
ステップＳ２３において、操作表示部１６には、たとえば図１８に示すように「投入されました紙幣の中にお預かりできない紙幣があります。」と表示される。これは顧客により投入された紙幣４０の中に受け入れ可能な紙幣も存在するからである。紙幣の確認ができた場合、すなわち顧客が確認ボタン９０を押した場合、図１９に示すようにその旨を表示する。
【０１２４】
次に、ステップＳ２０においてステップＳ１９の処理が正常に終了していないと判断された場合（ＮＯ）、すなわち、フィードローラ６４と分離ローラ６６を図８に示す矢印Ｄ方向に所定数だけ回転させても、センサ８０が紙幣を検知したままのときの処理について説明する。
【０１２５】
ステップＳ２０においてステップＳ１９の処理が正常に終了されていないと判断される場合、紙幣Ｍ７がゲート部６７にジャムしている可能性がある。しかし、紙幣Ｍ７がゲート部６７でジャムしていないにも関わらず、ステップＳ２０でセンサ８０が紙幣を検知し続ける場合がある。たとえば、図２０に示すように、紙幣Ｍ７が、センサ８０により検出することができる位置にあるが、フィードローラ６４と分離ローラ６６に係合していない場合である。この場合、ステップＳ１９においてフィードローラ６４と分離ローラ６６を回転させても、紙幣Ｍ７を入出金口３９に戻すことはできず、センサ８０によって検知され続けてしまう。
【０１２６】
このような場合を考慮して、本実施形態では、ステップＳ２０の判定（ＮＯ）の後、搬送路２０ｃ上にある紙幣Ｍ３と鑑別部２４にある紙幣Ｍ４と搬送路２０ａにある紙幣Ｍ５、Ｍ６とを一時収納部２８に搬送して収納し（ステップＳ２７）、その後、再びセンサ８０によりゲート部６７に紙幣があるか否かの判定を行う（ステップＳ２８）。これにより、係員が対応しなければならなくなる事態の発生を抑えることができる。
【０１２７】
ステップＳ２８においてセンサ８０が紙幣を検知した場合には、操作表示部１６に図２１に示すように、入出金機１０が紙幣を取り扱うことができなくなったことを表示する（ステップＳ２３）。以後の操作は入出金機の係員が行う。
【０１２８】
係員は、入出金口３９内に存在する紙幣Ｍ８、Ｍ９、Ｍ１０とゲート部６７にある紙幣Ｍ７、そして一時収納部２８に収納されている紙幣Ｍ１ないしＭ６を取り出し、たとえば顧客に返却する。
【０１２９】
ステップＳ２８においてセンサ８０が紙幣を検知しなかった場合（ＹＥＳ）には、ゲート部６７の紙幣を入出金口３９に戻す処理が正常に終了した場合と判定してステップＳ１８へ進んでよい。
【０１３０】
本実施形態によれば、入出金口に投入されてから一度も搬送部へ送り出されていない紙幣と、鑑別部で異常紙幣と判定されて入出金口へ戻された紙幣とを区別することができる。また、入出金口に投入されたすべての紙幣が連続供給で鑑別部を通った後、供給部の紙幣供給方法を連続供給から間欠供給に切り替えることができる。これにより、鑑別されない紙幣が発生するのを防ぐことができ、さらに入金処理を短時間で行うことができる。
【０１３１】
他の実施形態では、記番号以外に紙幣の特徴を示す情報が用いられてもよい。たとえば、鑑別部で取得した紙幣の画像データから、その紙幣の折れや皺、汚れ、破れ、切れ、または第三者により記入された文字や絵図（落書き）等の特徴、およびその特徴の紙幣上での位置を示す情報（紙幣上の座標および表裏面）を含む情報を、その紙幣の識別情報として抽出し、この情報を用いて図６ＣにおけるステップＳ２４の処理を行って、供給部における供給方法を連続供給から間欠供給に切り替えてもよい。
【０１３２】
この場合、ステップＳ６では各紙幣の識別情報を記憶領域４６に記憶させ、図１２のステップＳ３１では、記憶領域４６において最新の識別情報と同一の識別情報が最新の識別情報より先に記憶されているか否かを判定し、記憶されていれば間欠供給に切り替える。これにより、鑑別部２４で記番号を読み取ることができない場合であっても、入出金口３９に投入されてから搬送路２０ａに供給されていない紙幣と、鑑別部２４で異常紙幣と判定されて入出金口３９へ戻された紙幣とを区別することができる。
【０１３３】
また、同一記番号の複数の偽造紙幣等が入出金口３９に投入された場合であっても、入出金口に投入されてから搬送路２０ａに供給されていない紙幣と鑑別部２４で異常指定と判定されて入出金口３９へ戻された紙幣とを区別することができる。
【０１３４】
なお、図１の実施形態において図６ＤのステップＳ２４の処理は制御部１８で行うこととして説明したが、記憶部を備えた鑑別部２４で行ってもよい。
【０１３５】
また、本発明の実施形態は入出金機だけでなく、紙幣以外の他の媒体の鑑別を行う装置に適用することができる。
【０１３６】
上記した実施形態においては、異常紙幣を検出した場合、検出した異常紙幣の記番号と一致する記番号が鑑別済紙幣の記番号の中に存在する場合には、入出金口に投入された紙幣の搬送路への供給が一巡したと判断している。そのため、入出金口に投入された紙幣の中に同一記番号が付された複数の異常紙幣が含まれていた場合には、入出金口に投入された紙幣の搬送路への供給が一巡したか否かを区別することができない。
【０１３７】
そこで、以下では、入出金口に投入された紙幣の中に同一記番号が付された複数の異常紙幣が含まれていた場合であっても、入出金口に投入された紙幣の搬送路への供給が一巡したか否かを区別するための技術（以下、「一巡判定技術」とも言う。）を提案する。なお、コピー偽券は異常紙幣の一例に相当する。まず、接客部にコピー偽券が投入されなかった場合と接客部にコピー偽券が投入された場合との違いを説明する。
【０１３８】
図２２は、接客部にコピー偽券が投入されなかった場合において、入金処理における紙幣の位置の時系列変化を示す説明図である。また、図２３は、図２２に示す例において鑑別済紙幣の記番号と動作との関係を示す図である。図２２および図２３においては、紙幣Ｍ３が異常紙幣であるとし、図２３においては、鑑別した記番号とその紙幣を鑑別したときになされる動作とが示されている。
【０１３９】
この例では、ステップＳ７において、紙幣Ｍ３が異常紙幣であると判断されるため、ステップＳ３１において、制御部１８により異常紙幣である紙幣Ｍ３の記番号Ｎ３と一致する記番号が鑑別済紙幣の記番号の中に存在するか否かが判定される（図２２のステップＴ７）。ここで、制御部１８は、図２２のステップＴ１において紙幣Ｍ３が既に鑑別されているため、異常紙幣である紙幣Ｍ３の記番号Ｎ３が鑑別済紙幣の記番号の中に存在し（図２３の順番「３」）、異常紙幣である紙幣Ｍ３が一巡したと判定する（図２３の順番「９」）。
【０１４０】
したがって、ステップＳ３２において、間欠供給設定がなされ、以降の動作が間欠供給となる（図２３の順番「９」以降）。
【０１４１】
図２４は、接客部にコピー偽券が投入された場合において、入金処理における紙幣の位置の時系列変化を示す説明図である。また、図２５は、図２４に示す例において鑑別済紙幣の記番号と動作との関係を示す図である。図２４および図２５においては、紙幣Ｍ３Ｃがコピー偽券であるとし、図２５においては、鑑別した記番号とその紙幣を鑑別したときになされる動作とが示されている。
【０１４２】
この例では、ステップＳ７において、紙幣Ｍ３Ｃが異常紙幣であると判断されるため、ステップＳ３１において、制御部１８により異常紙幣である紙幣Ｍ３Ｃの記番号Ｎ３Ｃと一致する記番号が鑑別済紙幣の記番号の中に存在するか否かが判定される（図２４のステップＴ３）。ここで、制御部１８は、図２４のステップＴ１において紙幣Ｍ３Ｃが既に鑑別されているため、異常紙幣である紙幣Ｍ３Ｃの記番号Ｎ３Ｃが鑑別済紙幣の記番号の中に存在し（図２５の順番「３」）、異常紙幣である紙幣Ｍ３Ｃが一巡したと判定する（図２３の順番「５」）。
【０１４３】
したがって、ステップＳ３２において、間欠供給設定がなされ、以降の動作が間欠供給となる（図２５の順番「５」以降）。
【０１４４】
このように、接客部にコピー偽券が投入されなかった場合と接客部にコピー偽券が投入された場合との違いを参照して把握されるように、入出金口にコピー偽券が投入された場合には、入出金口に投入された紙幣の搬送路への供給が一巡していないにも関わらず、入出金口に存在する紙幣が間欠的に搬送路に供給されるように切り替えられてしまう。したがって、入出金口に投入された紙幣のすべてを１枚ずつ分離して搬送路に供給するために多くの時間を要してしまう。
【０１４５】
上記の一巡判定技術を適用すれば、入出金口に投入された紙幣のすべてを１枚ずつ分離して搬送路に供給するために要する時間を低減することが可能となる。なお、以下では、一巡判定技術を、入出金口に存在する紙幣が間欠的に搬送路に供給されるように切り替えられる例に適用される場合について主に説明するが、他の例に上記の一巡判定技術が適用されてもよい。
【０１４６】
上記の一巡判定技術として、制御部１８が異常紙幣の記番号と鑑別部により異常紙幣より前に鑑別された鑑別済紙幣の記番号とが一致するか否かを判定し、異常紙幣の記番号と鑑別済紙幣の記番号とが一致する場合に、異常紙幣に関連する情報に基づいて、異常紙幣が一巡したか否かを判定する技術を適用した紙幣入出金機１０を提案する。例えば、集積部６０によって入出金口３９に一度集積されてから鑑別部２４によって再度鑑別された紙幣は一巡した紙幣に相当する。異常紙幣に関連する情報は、異常紙幣自体に関する情報であってもよいし、異常紙幣の後続紙幣に関する情報であってもよいし、異常紙幣を含み入金口に投入された複数の紙幣に関する情報であってもよい。以下、かかる紙幣入出金機１０の実施形態として、本発明の第１〜第６の実施形態を順次に説明する。
【０１４７】
（第１の実施形態）
まず、本発明の第１の実施形態について説明する。上記したように、異常紙幣と判定されなかった紙幣は一時収納部２８に集積される。そこで、本発明の第１の実施形態においては、制御部１８は、異常紙幣の記番号と鑑別済紙幣の記番号とが一致する場合に、異常紙幣の記番号と一時収納部２８に収納された紙幣の記番号とが不一致であるか否かを判定する。そして、制御部１８は、異常紙幣の記番号と一時収納部２８に収納された紙幣の記番号とが不一致である場合に、異常紙幣が一巡したと判定する。一方、制御部１８は、異常紙幣の記番号と一時収納部２８に収納された紙幣の記番号とが一致である場合には、異常紙幣がコピー偽券であると判定する。
【０１４８】
図２６は、本発明の第１の実施形態に係る入出金機１０による入金処理における紙幣の位置の時系列変化を示す説明図である。図２７は、図２６に示す例において鑑別済紙幣の記番号と動作との関係を示す図である。図２８は、図２６に示す例において一時収納部２８における集積紙幣の記番号を示す図である。一時収納部２８における集積紙幣の記番号は、例えば、制御部１８により記憶部２６に随時記憶されていく。
【０１４９】
図２６〜図２８においては、紙幣Ｍ３Ｃがコピー偽券であるとし、図２７においては、鑑別した記番号とその紙幣を鑑別したときになされる動作とが示されており、図２８においては、一時収納部２８における収納させた紙幣とその紙幣の記番号とが示されている。図２９は、本発明の第１の実施形態に係る入出金機による供給方法変更処理を示すフローチャートである。
【０１５０】
この例では、ステップＳ７において、紙幣Ｍ３Ｃが異常紙幣であると判断されるため、ステップＳ４１において、制御部１８により異常紙幣である紙幣Ｍ３Ｃの記番号Ｎ３Ｃと一致する記番号が鑑別済紙幣の記番号の中に存在するか否かが判定される（図２６のステップＴ３）。ここで、制御部１８は、図２６のステップＴ１において紙幣Ｍ３Ｃが既に鑑別されているため（ＹＥＳ）、異常紙幣である紙幣Ｍ３Ｃの記番号Ｎ３Ｃが鑑別済紙幣の記番号の中に存在すると判定する（図２７の順番「３」）。
【０１５１】
続いて、ステップＳ４２において、制御部１８により異常紙幣である紙幣Ｍ３Ｃの記番号Ｎ３Ｃと一致する記番号が一時収納部２８における集積紙幣の記番号の中に存在するか否かが判定される（図２６のステップＴ３）。ここで、制御部１８は、図２６のステップＴ１において紙幣Ｍ３Ｃが既に一時収納部２８に集積されているため（ＹＥＳ）、異常紙幣である紙幣Ｍ３Ｃの記番号Ｎ３Ｃが一時収納部２８における集積紙幣の記番号の中に存在すると判定する。そこで、制御部１８は、異常紙幣である紙幣Ｍ３Ｃがコピー偽券であると判定する（図２７の順番「５」）。さらに、制御部１８は一時収納庫２８に収納されている紙幣Ｍ３Ｃの集積位置とコピー偽券であることを管理情報として記憶部２６に記憶する。図２８の順番３が集積位置となる。
【０１５２】
したがって、間欠供給設定（ステップＳ４３）はなされず、以降の動作としては連続供給が継続する。
【０１５３】
その後、ステップＳ７において、紙幣Ｍ１０が異常紙幣であると判断された場合、ステップＳ４１において、制御部１８により異常紙幣である紙幣Ｍ１０の記番号Ｎ１０と一致する記番号が鑑別済紙幣の記番号の中に存在するか否かが判定される（図２６のステップＴ７）。ここで、制御部１８は、紙幣Ｍ１０が未だ鑑別されていないため（ＮＯ）、間欠供給設定（ステップＳ４３）はなされず、以降の動作としては連続供給が継続する。紙幣Ｍ１０は、異常紙幣であるため、一時収納部２８に集積されずに入出金口３９に戻される。
【０１５４】
続いて、ステップＳ４２において、制御部１８により異常紙幣である紙幣Ｍ１０の記番号Ｎ１０と一致する記番号が一時収納部２８における集積紙幣の記番号の中に存在するか否かが判定される（図２６のステップＴ１０）。ここで、制御部１８は、紙幣Ｍ１０が未だ一時収納部２８に集積されていないため（ＮＯ）、異常紙幣である紙幣Ｍ１０の記番号Ｎ１０が一時収納部２８における集積紙幣の記番号の中に存在しないと判定する。そこで、制御部１８は、異常紙幣である紙幣Ｍ１０が一巡したと判定する（図２６の順番「１５」）。
【０１５５】
したがって、ステップＳ４３において、間欠供給設定がなされ、以降の動作が間欠供給となる（図２７の順番「１１」以降）。
【０１５６】
（第２の実施形態）
続いて、本発明の第２の実施形態について説明する。上記したように、入出金口に投入された投入紙幣は、１枚ずつ分離されて順次に搬送路に供給される。そこで、本発明の第２の実施形態においては、制御部１８は、異常紙幣の記番号と鑑別済紙幣の記番号とが一致する場合に、入出金口に投入された投入紙幣の枚数と入出金口に存在する紙幣から分離された分離紙幣の枚数とを比較する。そして、制御部１８は、投入紙幣の枚数が分離紙幣の枚数より少ない場合に、異常紙幣が一巡したと判定する。一方、制御部１８は、投入紙幣の枚数が分離紙幣の枚数以上の場合に、異常紙幣がコピー偽券であると判定する。
【０１５７】
ここで、投入紙幣の枚数の検出手法としては、例えば、特開２００５−２１５８８２号公報により開示されている手法を用いることが可能であるが、どのような手法が用いられてもよい。分離紙幣の枚数の検出手法としては、入出金口に存在する紙幣から分離紙幣が分離される度に１ずつ加算する手法を採用することができる。
【０１５８】
図３０は、本発明の第２の実施形態に係る入出金機１０による入金処理における紙幣の位置の時系列変化を示す説明図である。図３１には、鑑別した記番号とその紙幣を鑑別したときになされる動作との関係が示されている。記憶部２６には図３１における鑑別済紙幣の情報（金種等の情報）と鑑別済紙幣の記番号、鑑別済紙幣を鑑別した順番が記憶される。図３０および図３１においては、紙幣Ｍ３Ｃがコピー偽券であるとし、投入紙幣の枚数が「１０」であったとする。図３２は、本発明の第２の実施形態に係る入出金機による供給方法変更処理を示すフローチャートである。
【０１５９】
この例では、ステップＳ７において、紙幣Ｍ３Ｃが異常紙幣であると判断されるため、ステップＳ５１において、制御部１８により異常紙幣である紙幣Ｍ３Ｃの記番号Ｎ３Ｃと一致する記番号が図３１の鑑別済紙幣の記番号中に存在するか否かが判定される（図３０のステップＴ３）。ここで、制御部１８は、図３１の順番３において紙幣Ｍ３Ｃが既に鑑別されているため（ＹＥＳ）、異常紙幣である紙幣Ｍ３Ｃの記番号Ｎ３Ｃが鑑別済紙幣の記番号の中に存在すると判定する。
【０１６０】
続いて、ステップＳ５２において、制御部１８により投入紙幣の枚数が分離紙幣の枚数より少ないか否かが判定される（図３０のステップＴ３）。ここで、制御部１８は、図３０のステップＴ３においては、紙幣Ｍ１、Ｍ２、Ｍ３Ｃ、Ｍ４、Ｍ５，Ｍ３Ｃ、Ｍ７、Ｍ８の計８枚が分離されているため、投入紙幣の枚数が分離紙幣の枚数以上であると判定する（ＮＯ）。そこで、制御部１８は、異常紙幣である紙幣Ｍ３Ｃがコピー偽券であると判定する（図３１の順番「４」）。
【０１６１】
したがって、間欠供給設定（ステップＳ５３）はなされず、以降の動作としては連続供給が継続する。
【０１６２】
続いて、ステップＳ７において、紙幣Ｍ３Ｃが異常紙幣であると判断されるため、ステップＳ５１において、制御部１８により異常紙幣である紙幣Ｍ３Ｃの記番号Ｎ３Ｃと一致する記番号が図３１の鑑別済紙幣の記番号中に存在するか否かが判定される（図３０のステップＴ７）。ここで、制御部１８は、図３１の順番３と４において紙幣Ｍ３Ｃが既に鑑別されているため（ＹＥＳ）、異常紙幣である紙幣Ｍ３Ｃの記番号Ｎ３Ｃが鑑別済紙幣の記番号の中に存在すると判定する。
【０１６３】
続いて、ステップＳ５２において、制御部１８により投入紙幣の枚数が分離紙幣の枚数より少ないか否かが判定される（図３０のステップＴ９）。ここで、制御部１８は、図３０のステップＴ７においては、紙幣Ｍ１、Ｍ２、Ｍ３Ｃ、Ｍ４、Ｍ５、Ｍ３Ｃ、Ｍ７、Ｍ８、Ｍ９、Ｍ１０、Ｍ３Ｃ、Ｍ４、Ｍ５の計１３枚が分離されているため（ＹＥＳ）、投入紙幣の枚数が分離紙幣の枚数より少ないと判定する（ＹＥＳ）。そこで、制御部１８は、異常紙幣である紙幣Ｍ３Ｃが一巡したと判定する（図３１の順番「７」）。
【０１６４】
したがって、ステップＳ５３において、間欠供給設定がなされ、以降の動作が間欠供給となる（図３１の順番「８」以降）。
【０１６５】
（第３の実施形態）
続いて、本発明の第３の実施形態について説明する。上記したように、搬送路２０ｄの途中あるいはその他の適当な場所に紙幣の向きを変える装置を設け、鑑別部２４を通った紙幣が入出金口３９に戻されたとき、この紙幣の上下および表裏が逆の状態で入出金口３９に収納されるようにしてもよい。これにより、この紙幣が鑑別部２４で再び鑑別される際、異なった向きで鑑別される。紙幣の反転は、上下および表裏の少なくともいずれか一方の反転であればよい。
【０１６６】
そこで、本発明の第３の実施形態においては、このような性質を利用し、制御部１８は、異常紙幣の記番号と鑑別済紙幣の記番号とが一致する場合に、鑑別部による前回鑑別時と比較して（異常紙幣と同一の記番号が付された紙幣のうち鑑別部により前回鑑別された紙幣と比較して）異常紙幣が反転しているか否かを判定し、異常紙幣が反転している場合に、異常紙幣が一巡したと判定する。一方、制御部１８は、異常紙幣が反転していない場合に、異常紙幣がコピー偽券であると判定する。装置の機構によっては、異常紙幣が反転していない場合に異常紙幣が一巡したと判定し、異常紙幣が反転している場合に、異常紙幣がコピー偽券であると判定してもよい。
【０１６７】
図３３においては、図３０に示す例において取得した管理情報とその管理情報を取得したときになされる動作との関係が示されている。図３４は、本発明の第３の実施形態に係る入出金機による供給方法変更処理を示すフローチャートである。
【０１６８】
管理情報は、図３３に示すように、紙幣の向きを示す情報であり、紙幣の表裏および上下の双方であってもよいが、少なくとも紙幣の表裏および上下のうちのいずれか一方であってもよい。かかる管理情報は、例えば、制御部１８により記憶部２６に随時記憶されていく。
【０１６９】
この例では、ステップＳ７において、紙幣Ｍ３Ｃが異常紙幣であると判断されるため、ステップＳ６１において、制御部１８により異常紙幣である紙幣Ｍ３Ｃの記番号Ｎ３Ｃと一致する記番号が図３１の鑑別済紙幣の記番号中に存在するか否かが判定される（図３０のステップＴ３）。ここで、制御部１８は、図３１の順番３において紙幣Ｍ３Ｃが既に鑑別されているため（ＹＥＳ）、異常紙幣である紙幣Ｍ３Ｃの記番号Ｎ３Ｃが鑑別済紙幣の記番号の中に存在すると判定する（図３１の順番「３」）。
【０１７０】
続いて、ステップＳ６２において、制御部１８により前回鑑別時と比較して紙幣が反転しているか否かが判定される（図３０のステップＴ３）。ここで、制御部１８は、図３０のステップＴ３においては、紙幣Ｍ３Ｃの前回鑑別時の管理情報は、表裏方向が「表」、上下方向が「上」であり（図３３の順番「３」）、今回鑑別時の管理情報は、表裏方向が「表」、上下方向が「上」であり（図３３の順番「４」）、反転していないと判定する（ＮＯ）。そこで、制御部１８は、異常紙幣である紙幣Ｍ３Ｃがコピー偽券であると判定する（図３３の順番「５」）。
【０１７１】
したがって、間欠供給設定（ステップＳ６３）はなされず、以降の動作としては連続供給が継続する。
【０１７２】
続いて、ステップＳ７において、紙幣Ｍ３Ｃが異常紙幣であると判断されるため、ステップＳ６１において、制御部１８により異常紙幣である紙幣Ｍ３Ｃの記番号Ｎ３Ｃと一致する記番号が図３１の鑑別済紙幣の記番号中に存在するか否かが判定される（図３０のステップＴ７）。ここで、制御部１８は、図３１の順番３と４において紙幣Ｍ３Ｃが既に鑑別されているため（ＹＥＳ）、異常紙幣である紙幣Ｍ３Ｃの記番号Ｎ３Ｃが鑑別済紙幣の記番号の中に存在すると判定する。
【０１７３】
続いて、ステップＳ６２において、制御部１８により前回鑑別時と比較して紙幣が反転しているか否かが判定される（図３０のステップＴ７）。ここで、制御部１８は、図３０のステップＴ７においては、紙幣Ｍ３Ｃの前回鑑別時の管理情報は、表裏方向が「表」、上下方向が「上」であり（図３３の順番「４」）、今回鑑別時の管理情報は、表裏方向が「裏」、上下方向が「下」であり（図３３の順番「７」）、反転していると判定する（ＹＥＳ）。そこで、制御部１８は、異常紙幣である紙幣Ｍ３Ｃが一巡したと判定する（図３３の順番「９」）。
【０１７４】
したがって、ステップＳ６３において、間欠供給設定がなされ、以降の動作が間欠供給となる（図３３の順番「８」以降）。
【０１７５】
（第４の実施形態）
続いて、本発明の第４の実施形態について説明する。ここでは、異常紙幣が一巡した場合には、その異常紙幣の後に続く紙幣に相当する後続紙幣同士も記番号が一致すると考えられる。そこで、本発明の第４の実施形態においては、このような性質を利用し、制御部１８は、異常紙幣の記番号と鑑別済紙幣の記番号とが一致する場合に、鑑別部により過去に鑑別されたときと比較して（異常紙幣と同一の記番号が付された紙幣のうち鑑別部により過去に鑑別された紙幣の後続紙幣の記番号と比較して）異常紙幣の後続紙幣の記番号同士が一致するか否かを判定する。そして、制御部１８は、後続紙幣の記番号同士が一致する場合に、異常紙幣が一巡したと判定する。一方、制御部１８は、後続紙幣の記番号同士が一致していない場合に、異常紙幣がコピー偽券であると判定する。
【０１７６】
図３５には、図３０に示す例において鑑別した記番号とその紙幣を鑑別したときになされる動作とその紙幣の後続紙幣の記番号との関係が示されている。図３０および図３５においては、紙幣Ｍ３Ｃがコピー偽券であるとする。図３６は、本発明の第４の実施形態に係る入出金機による供給方法変更処理を示すフローチャートである。
【０１７７】
後続紙幣の記番号は、どのように取得されてもよいが、例えば、鑑別部を通過する際に取得されてもよい。このように取得された後続紙幣の記番号は、図３５に示すように、例えば、制御部１８により記憶部２６に随時記憶されていく。
【０１７８】
この例では、ステップＳ７において、紙幣Ｍ３Ｃが異常紙幣であると判断されるため、ステップＳ７１において、制御部１８により異常紙幣である紙幣Ｍ３Ｃの記番号Ｎ３Ｃと一致する記番号が図３１の鑑別済紙幣の記番号中に存在するか否かが判定される（図３０のステップＴ３）。ここで、制御部１８は、図３８の順番３において紙幣Ｍ３Ｃが既に鑑別されているため（ＹＥＳ）、異常紙幣である紙幣Ｍ３Ｃの記番号Ｎ３Ｃが鑑別済紙幣の記番号の中に存在すると判定する（図３５の順番「３」）。
【０１７９】
続いて、ステップＳ７２において、制御部１８により過去に鑑別されたときと比較して後続紙幣の記番号が一致するか否かが判定される（図３７のステップＴ３）。ここで、制御部１８は、図３０のステップＴ３においては、過去に紙幣Ｍ３Ｃが鑑別されたときの後続紙幣の記番号はＮ４であり（図３５の順番「３」）、今回紙幣Ｍ３Ｃが鑑別されたときの後続紙幣の記番号はＮ７であり（図３５の順番「４」）、後続紙幣の記番号同士は不一致であると判定する（ＮＯ）。そこで、制御部１８は、異常紙幣である紙幣Ｍ３Ｃがコピー偽券であると判定する（図３８の順番「４」）。
【０１８０】
したがって、間欠供給設定（ステップＳ７３）はなされず、以降の動作としては連続供給が継続する。
【０１８１】
続いて、ステップＳ７において、紙幣Ｍ３Ｃが異常紙幣であると判断されるため、ステップＳ７１において、制御部１８により異常紙幣である紙幣Ｍ３Ｃの記番号Ｎ３Ｃと一致する記番号が図３５の鑑別済紙幣の記番号中に存在するか否かが判定される（図３０のステップＴ７）。ここで、制御部１８は、図３８の順番３と４において紙幣Ｍ３Ｃが既に鑑別されているため（ＹＥＳ）、異常紙幣である紙幣Ｍ３Ｃの記番号Ｎ３Ｃが鑑別済紙幣の記番号の中に存在すると判定する。
【０１８２】
続いて、ステップＳ７２において、制御部１８により過去に鑑別されたときと比較して後続紙幣の記番号が一致するか否かが判定される（図３０のステップＴ７）。ここで、制御部１８は、図３０のステップＴ７においては、過去に紙幣Ｍ３Ｃが鑑別されたときの後続紙幣の記番号はＮ４であり（図３５の順番「３」）、今回紙幣Ｍ３Ｃが鑑別されたときの後続紙幣の記番号はＮ４であり（図３５の順番「７」）、後続紙幣の記番号同士は一致であると判定する（ＹＥＳ）。そこで、制御部１８は、異常紙幣である紙幣Ｍ３Ｃが一巡したと判定する（図３５の順番「７」）。
【０１８３】
したがって、ステップＳ７３において、間欠供給設定がなされ、以降の動作が間欠供給となる（図３５の順番「８」以降）。
【０１８４】
（第５の実施形態）
続いて、本発明の第５の実施形態について説明する。上記のようにして異常紙幣の一巡判定を行うことが可能であるが、紙幣の状態によっては記番号を正確に読み取れない場合も想定される。かかる場合には、記番号の一致判定が正確に行われず、異常紙幣の一巡判定を誤る場合も想定される。一例として、数字の「２」とアルファベットの「Ｚ」との一致判定においては、記番号の印刷の擦れ度合いなどによって判定を誤る可能性がある。
【０１８５】
そこで、本発明の第５の実施形態においては、制御部１８は、異常紙幣に関連する情報に基づいて異常紙幣が一巡したか否かを判定するに際して、複数の番号を比較する場合には、あらかじめ設定された一巡検知用の有効桁位置同士の記番号を比較して判定する。また、制御部１８は、異常紙幣がコピー偽券であるかを判定するに際して、複数の記番号を比較する場合には、あらかじめ設定されたコピー偽券検知用の有効桁位置同士の記番号を比較して判定する。これにより、記番号一致判定の精度を向上させることができる。かかる判定は、例えば、上記した例では、ステップＳ４２、ステップＳ７２などに適用することができる。
【０１８６】
中国券を例に説明すると、中国券においては、１０桁の記番号のうち、上位２桁は英数字であり、下位８桁は数字である。そこで、記番号の一致条件を１０桁の完全一致ではなく、有効桁位置を可変にすることによって読み取りミスによる記番号一致判定の誤りを防ぐことが可能であると考えられる。なお、ここでは、記番号が１０桁の場合を例に挙げて説明するが、記番号の桁数は限定されない。
【０１８７】
図３７は、本発明の第５の実施形態に係る入出金機による一巡検知用の有効桁位置設定例を示す図である。図３８は、本発明の第５の実施形態に係る入出金機によるコピー偽券検知用の有効桁位置設定例を示す図である。
【０１８８】
図３７に示すように、一巡検知用の有効桁位置を設定することが可能である。同様にして、図３８に示すように、コピー偽券検知用の有効桁位置を設定することが可能である。図３７および図３８において、「有効」に設定された桁同士は比較されるが、「無効」に設定された桁同士は比較されない。このような有効桁位置は、画面上に表示させながら係員による操作に従って設定することも可能であるし、汚れやすい桁を自動的に入出金機において算出して、その桁を「無効」にするように設定することも可能である。
【０１８９】
図３９は、本発明の第５の実施形態に係る入出金機による記番号一致判定処理を示すフローチャートである。図３９に示したように、制御部１８は、ステップＳ８１において、変数Ｎに「１」を設定し、ステップＳ８２において、結果に「一致」を設定する。制御部１８は、Ｎ桁目が「有効」に設定されているか否かを判定し、「無効」に設定されている場合には（ＮＯ）、ステップＳ８６に進むが、「有効」に設定されている場合には（ＹＥＳ）、ステップＳ８４において、Ｎ桁目の文字同士が一致するか否かを判定する。
【０１９０】
制御部１８は、Ｎ桁目の文字同士が一致する場合には（ＹＥＳ）、ステップＳ８６に進むが、Ｎ桁目の文字同士が一致しない場合には（ＮＯ）、ステップＳ８５において、結果に「不一致」を設定して、ステップＳ８６に進む。制御部１８は、ステップＳ８６においては、変数Ｎを１加算し、ステップＳ８７において、記番号の全桁について比較が終了したと判定された場合には（ＹＥＳ）、ステップＳ８８において、結果を出力して終了するが、その他の場合には（ＮＯ）、ステップＳ８３に戻って動作を継続する。
【０１９１】
（第６の実施形態）
続いて、本発明の第６の実施形態について説明する。本発明の第６の実施形態においては、制御部１８は、異常紙幣に関連する情報に基づいて異常紙幣が一巡したか否かを判定するに際して、記番号間において対応する桁同士を比較する場合には、当該対応する桁同士が一致しない場合であっても、あらかじめ設定された誤読文字対に一致すれば、当該対応する桁同士が一致すると判定する。これにより、記番号一致判定の精度を向上させることができる。かかる判定は、例えば、上記した例では、ステップＳ４２、ステップＳ７２などに適用することができる。
【０１９２】
図４０は、本発明の第６の実施形態に係る入出金機による記番号一致判定処理を示すフローチャートである。図４０に誤読文字テーブルを示す。例えば、文字「２」と対になる文字は「Ｚ」であり、文字「５」と対になる文字は「Ｓ」である。これ以外にも形状が類似する文字を誤読文字として誤読文字テーブルに追加することが可能である。図４０に示したように、制御部１８は、ステップＳ９１において、変数Ｎに「１」を設定し、ステップＳ９２において、結果に「一致」を設定する。制御部１８は、Ｎ桁目の文字同士が一致する場合には（ＹＥＳ）、ステップＳ９７に進むが、Ｎ桁目の文字同士が一致しない場合には（ＮＯ）、ステップＳ９４において、一方の文字が誤読文字テーブル内に存在するか否かを判定する。
【０１９３】
制御部１８は、ステップＳ９４において、当該一方の文字が誤読文字テーブル内に存在しない場合には（ＮＯ）、ステップＳ９６に進むが、当該一方の文字が誤読文字テーブル内に存在する場合には（ＹＥＳ）、ステップＳ９５において、誤読文字テーブル内に存在した文字の対となる文字と他方の文字とが一致するか否かを判定する。制御部１８は、ステップＳ９５において、誤読文字テーブル内に存在した文字の対となる文字と他方の文字とが一致する場合には（ＹＥＳ）、ステップＳ９７に進むが、誤読文字テーブル内に存在した文字の対となる文字と他方の文字とが一致しない場合には（ＮＯ）、ステップＳ９６において、結果に「不一致」を設定して、ステップＳ９７に進む。
【０１９４】
制御部１８は、ステップＳ９７においては、変数Ｎを１加算し、ステップＳ９８において、記番号の全桁について比較が終了したと判定された場合には（ＹＥＳ）、ステップＳ９９において、結果を出力して終了するが、その他の場合には（ＮＯ）、ステップＳ９３に戻って動作を継続する。
【０１９５】
（第７の実施形態）
続いて、本発明の第７の実施形態について説明する。上記したように、異常紙幣と判定されなかった紙幣は一時収納部２８に集積される。そこで、本発明の第７の実施形態においては、制御部１８は、鑑別した紙幣の記番号と一時収納部２８に収納された紙幣の記番号とが一致しているか否かを判定する。そして、制御部１８は、鑑別した紙幣の記番号と一時収納部２８に収納された紙幣の記番号とが一致している場合に、鑑別した紙幣と一時保留部２８に収納された紙幣を異常紙幣と判定する。
【０１９６】
本発明の第７の実施形態に係る入出金機１０による入金処理における紙幣の位置の時系列変化を、図２６を用いて説明する。図２７は、図２６に示す例において鑑別済紙幣の記番号と動作との関係を示す図である。記憶部２６には図２７における鑑別済紙幣の情報（金種等の情報）鑑別済紙幣の記番号、鑑別済紙幣を鑑別した順番が随時記憶される。図２８は、図２６に示す例において一時収納部２８における集積紙幣の記番号を示す図である。一時収納部２８における集積紙幣の記番号は、例えば、制御部１８により記憶部２６に随時記憶されていく。
【０１９７】
図２６〜図２８においては、紙幣Ｍ３Ｃがコピー偽券であるとし、図２７においては、鑑別した記番号とその紙幣を鑑別したときになされる動作とが示されており、図２８においては、一時収納部２８における収納させた紙幣とその紙幣の記番号とが示されている。第７の実施形態においては、図６ＡのステップＳ６で記番号を記憶した後に、図４１に示す、鑑別した記番号と一時収納部２８に収納された紙幣の記番号との比較を実施する。図３８は、本発明の第７の実施形態に係る入出金機による供給方法変更処理を示すフローチャートである。
【０１９８】
まず、制御部１８は、図６ＡのステップＳ６で記番号を記憶した後、図４１のステップＳ１０１において、紙幣Ｍ３Ｃが図２８の一時収納部２８における集積紙幣と一致するか判断する。（図２６のステップＴ３）。紙幣Ｍ３Ｃと一致する紙幣があるため（図２８の順番３）ステップＳ１０３へ進む（ステップＳ１０２）。ステップＳ１０３では、制御部１８は、図２６のステップＴ３で鑑別した紙幣Ｍ３Ｃと一時保留部２８に収納されている紙幣Ｍ３Ｃ（順番３）の両方を異常紙幣であると判断する。さらに、制御部１８は、ステップＴ３で鑑別した紙幣Ｍ３Ｃがコピー偽券であると判定し、記憶部２６に管理情報として紙幣Ｍ３Ｃがコピー偽券であることを記憶する（図２７の順番「５」）。さらに、制御部１８は、一時収納部２８に収納されている紙幣Ｍ３Ｃの集積位置とコピー偽券であることを管理情報として記憶部２６に記憶する。図２８の順番「３」が集積位置となる。
【０１９９】
その後、図６ＡのステップＳ７に進み、ステップＴ３で鑑別した紙幣Ｍ３Ｃが異常紙幣であると判断される。図６ＣのステップＳ１６〜ステップＳ２１を処理した後、図４２のステップＳ２０１において、制御部１８により異常紙幣である紙幣Ｍ３Ｃの記番号Ｎ３Ｃと一致する記番号が図２７の鑑別済紙幣の記番号中に存在するか否かが判定される（図２６のステップＴ３）。ここで、制御部１８は、図２７の順番３において紙幣Ｍ３Ｃが既に鑑別されているため（ＹＥＳ）、異常紙幣である紙幣Ｍ３Ｃの記番号Ｎ３Ｃが鑑別済紙幣の記番号の中に存在すると判定する。
【０２００】
続いて、ステップＳ２０２において、制御部１８により異常紙幣である紙幣Ｍ３Ｃが図２７にコピー偽券として登録されているかを確認する。ここで、異常紙幣Ｍ３Ｃはコピー偽券に登録されているため（図２７の順番５）、間欠供給設定（ステップＳ２０３）はなされず、以降の動作としては連続供給が継続する。
【０２０１】
その後、ステップＳ７において、紙幣Ｍ１０が異常紙幣であると判断された場合、ステップＳ２０１において、制御部１８により異常紙幣である紙幣Ｍ１０の記番号Ｎ１０と一致する記番号が鑑別済紙幣の記番号の中に存在するか否かが判定される（図２６のステップＴ７）。ここで、制御部１８は、紙幣Ｍ１０が未だ鑑別されていないため（ＮＯ）、間欠供給設定（ステップＳ２０３）はなされず、以降の動作としては連続供給が継続する。紙幣Ｍ１０は、異常紙幣であるため、一時収納部２８に集積されずに入出金口３９に戻される。
【０２０２】
続いて、ステップＳ２０１において、制御部１８により異常紙幣である紙幣Ｍ１０の記番号Ｎ１０と一致する記番号が鑑別済紙幣の記番号の中に存在するか否かが判定される（図２６のステップＴ１０）。ここで、制御部１８は、図２７の順番１０において紙幣Ｍ１０が既に鑑別されているため（ＹＥＳ）、異常紙幣である紙幣Ｍ１０の記番号Ｎ１０が鑑別済紙幣の記番号の中に存在すると判定する。続いて、ステップＳ２０２において、制御部１８により異常紙幣である紙幣Ｍ１０が図２７においてコピー偽券として登録されているかを確認し、登録されていないと判定する。そこで、制御部１８は、異常紙幣である紙幣Ｍ１０が一巡したと判定する（図２７の順番「１０」）。
【０２０３】
したがって、ステップＳ２０３において、間欠供給設定がなされ、以降の動作が間欠供給となる（図２７の順番「１１」以降）。
【０２０４】
次に、第１の実施形態および第７の実施形態において、一時収納部２８に収納されたコピー偽券を第３の収納庫へ搬送する処理について説明する。
【０２０５】
図４３は、一時収納部２８から分離した紙幣をカセット３０等に収納する際の動作を示すフローチャートである。
【０２０６】
まず、ステップＳ３０１において一時収納部２８から紙幣を分離する。次に、分離した紙幣の管理情報から収納先を決定する（ステップＳ３０２）。ステップＳ３０３で、分離紙幣がリサイクル可能な紙幣である場合はカセット３０へ収納し、リサイクル不可な紙幣である場合は第１の収納庫３１へ収納する（ステップＳ３０３〜ステップＳ３０６）。次に、ステップＳ３０７において、分離紙幣がコピー偽券である場合は、第３の収納庫３４（偽券庫）に収納する（ステップＳ３０８）。この動作を一時収納部２８の紙幣が無くなるまで繰り返す（ステップＳ３０９）。
【０２０７】
例えば、ステップＳ３０２において図２８における順番３の場合には、管理情報から分離紙幣がコピー偽券であることがわかり、収納先は偽券庫であると決定する。したがって、分離紙幣は、第３の収納庫３４に収納される（ステップＳ３０７、ステップＳ３０８）。
【０２０８】
（第８の実施形態）
次に、本発明の第８の実施形態について説明する。上記したように、異常紙幣と判定されなかった紙幣は一時収納部２８へ集積される。そこで、本発明の第８の実施形態においては、制御部１８は鑑別された紙幣の記番号と一時収納部２８に収納された紙幣の記番号とが一致しているかを判定する。そして、制御部１８は、鑑別された紙幣の記番号と一時収納部２８に収納された紙幣の記番号とが一致している場合は、鑑別された紙幣と一時収納部２８に収納された記番号が一致する紙幣の両方を異常紙幣であると判定し、一時収納部２８に収納された異常紙幣を入出金口へ搬送する。
【０２０９】
第８の実施形態では、第７の実施形態と同様に、図６ＡのステップＳ６の後に、図４１に示した、鑑別した記番号と一時収納部２８に収納された紙幣の記番号との比較を実施する。ここでは、第７の実施形態と同様に、図４１のステップＳ１０１において、紙幣Ｍ３Ｃが図２８の一時収納部２８における集積紙幣と一致するかを判断する（図２６のステップＴ３）。ここでは、紙幣Ｍ３Ｃと一致する紙幣があるため（図２８の順番３）、ステップＳ１０３へ進む（ステップＳ１０２）。ステップＳ１０３では、図２６のステップＴ３で鑑別した紙幣Ｍ３Ｃと一時収納部２８に収納されている紙幣Ｍ３Ｃ（順番３）の両方を異常紙幣であると判断する。さらに、制御部１８はステップＴ３で鑑別した紙幣Ｍ３Ｃがコピー偽券であると判定し、記憶部２６に紙幣Ｍ３Ｃがコピー偽券であることを記憶する（図２７の順番５）。さらに、制御部１８は、一時収納部２８に収納されている紙幣Ｍ３Ｃの集積位置とコピー偽券であることを管理情報として記憶部２６に記憶する（図２８の順番３が集積位置となる）。
【０２１０】
その後、図６ＡのステップＳ７に進み、ステップＴ３で鑑別した紙幣Ｍ３Ｃが異常紙幣であると判断される。図６ＣのステップＳ１６〜ステップＳ２１を処理した後、図４４のステップＳ４０１へ進む。ステップＳ４０１において、制御部１８は、コピー偽券が登録されているかを判断する。ここでは、図２８の一時収納部２８における管理情報からコピー偽券登録があるかを判断する。図２８の順番３がコピー偽券として登録されているため、コピー偽券登録済みとなりステップＳ４０２へ進む。ステップＳ４０２では、一時収納部２８に収納されたコピー偽券の集積位置を利用し、該集積位置の紙幣までの紙幣を入出金口へ返却する。ここでは、図２８の順番３がコピー偽券のため、順番３までの紙幣（Ｍ４とＭ３Ｃ）を入出金口へ搬送する（図２６のステップＴ４において、紙幣Ｍ４が一時収納部２８へ集積されている）。入出金口にまだ分離していない紙幣が残っていた場合は、残っていた紙幣と重ねられてＭ４とＭ３Ｃは集積される。その後、制御部１８は、シャッタを開け、顧客は紙幣を受け取る。ステップＳ４０１でコピー偽券の登録がなされていないと判断されると、図１２の供給方法変更処理へ進む。図１２における動作は上述した動作と同じである。
【０２１１】
なお、図４４では、一時収納部２８に収納されたコピー偽券の集積位置を利用し、該集積位置までの紙幣を入出金口へ返却したが、図４１のステップＳ１０１において、鑑別した紙幣の記番号と一時収納部２８に収納された紙幣の記番号とが一致したと判断した場合、搬送路上に存在する紙幣と、その時点で一時収納部２８に収納されている紙幣のすべてを入出金口へ搬送することもできる。
【０２１２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０２１３】
制御部１８を構成する各ブロックは、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などから構成され、記憶部２６により記憶されているプログラムがＣＰＵによりＲＡＭに展開されて実行されることにより、その機能が実現され得る。あるいは、制御部１８を構成する各ブロックは、専用のハードウェアにより構成されていてもよいし、複数のハードウェアの組み合わせにより構成されてもよい。
【０２１４】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
第１の実施形態から第８の実施形態は適宜組合わせて実施することが可能である。
【符号の説明】
【０２１５】
１０    入出金機
１２    自動取引装置
１４    主制御部
１６    操作表示部
１８    制御部
２０    搬送部
２２    接客部
２４    鑑別部
２６    記憶部
２８    一時収納部
３８    シャッタ
３９    入出金口
４０    紙幣
４４    記番号
６０    集積部
【図１】
2014164399.tif 000003
【図２】
2014164399.tif 000004
【図３】
2014164399.tif 000005
【図４】
2014164399.tif 000006
【図５】
2014164399.tif 000007
【図６Ａ】
2014164399.tif 000008
【図６Ｂ】
2014164399.tif 000009
【図６Ｃ】
2014164399.tif 000010
【図６Ｄ】
2014164399.tif 000011
【図７】
2014164399.tif 000012
【図８】
2014164399.tif 000013
【図９】
2014164399.tif 000014
【図１０】
2014164399.tif 000015
【図１１】
2014164399.tif 000016
【図１２】
2014164399.tif 000017
【図１３】
2014164399.tif 000018
【図１４】
2014164399.tif 000019
【図１５】
2014164399.tif 000020
【図１６】
2014164399.tif 000021
【図１７】
2014164399.tif 000022
【図１８】
2014164399.tif 000023
【図１９】
2014164399.tif 000024
【図２０】
2014164399.tif 000025
【図２１】
2014164399.tif 000026
【図２２】
2014164399.tif 000027
【図２３】
2014164399.tif 000028
【図２４】
2014164399.tif 000029
【図２５】
2014164399.tif 000030
【図２６】
2014164399.tif 000031
【図２７】
2014164399.tif 000032
【図２８】
2014164399.tif 000033
【図２９】
2014164399.tif 000034
【図３０】
2014164399.tif 000035
【図３１】
2014164399.tif 000036
【図３２】
2014164399.tif 000037
【図３３】
2014164399.tif 000038
【図３４】
2014164399.tif 000039
【図３５】
2014164399.tif 000040
【図３６】
2014164399.tif 000041
【図３７】
2014164399.tif 000042
【図３８】
2014164399.tif 000043
【図３９】
2014164399.tif 000044
【図４０】
2014164399.tif 000045
【図４１】
2014164399.tif 000046
【図４２】
2014164399.tif 000047
【図４３】
2014164399.tif 000048
【図４４】
2014164399.tif 000049